【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
前記収容部にて前記取り付け機構に係合するように適合されたカートリッジであって、チャンバと、開口部と、前記開口部上方に位置する穿孔可能なカバーとを含むカートリッジと、を備え、
前記閉鎖位置では、前記カートリッジは、前記カートリッジ加圧部材の開口部を貫通して延び、前記カートリッジ加圧部材は、前記カートリッジに係合して前記カバーを前記切断部分に押し付け、それによって前記カートリッジを開口して内容物を前記容器に分配する、飲料分配システム。
【請求項２】
前記カートリッジは、１つ又は２つ以上の飲料成分を保持する、請求項１に記載のシステム。
【請求項３】
前記１つ又は２つ以上の飲料成分は、シロップ、ペースト、粉末、又は顆粒を含む、請求項２に記載のシステム。
【請求項４】
前記１つ又は２つ以上の飲料成分は、栄養分、ビタミン、薬草、栄養補助食品、微粒子、ゲル、又はフルーツ風味ベースを含む、請求項２に記載のシステム。
【請求項５】
前記カートリッジは、少なくとも２つのチャンバを含み、それぞれのチャンバは、異なる飲料成分を保持する、請求項１に記載のシステム。
【請求項６】
前記収容部は、前記カートリッジが開口されたときに前記システムからの前記１つ又は２つ以上の飲料成分の漏出を防止するように構成されたシールを更に含む、請求項２に記載のシステム。
【請求項７】
前記切断部分は、前記カバーが前記切断部分に押し付けられたときに前記カバーを穿孔するように構成されている、請求項１に記載のシステム。
【請求項８】
前記カートリッジ加圧部材は、スパウトを含むスパウト部分上に配設されており、前記スパウトは、前記カートリッジ加圧部材が前記閉鎖位置にあるときに、前記容器開口部と整合する、請求項１に記載のシステム。
【請求項９】
前記カートリッジ加圧部材は、シリコーンドームを含む、請求項１に記載のシステム。
【請求項１０】
前記カートリッジ加圧部材は、前記カバーを前記切断部分に押し付けるために前記カートリッジのリムに係合する、請求項１に記載のシステム。
【請求項１１】
飲料分配システムであって、
第１の端部と前記第１の端部の反対側の第２の端部を有する容器と、
前記第１の端部で前記容器に連結された取り付け機構であって、前記取り付け機構はクロージャ基部とカートリッジ加圧部材とを含み、前記カートリッジ加圧部材は、前記クロージャ基部にヒンジ取り付けされており、開放位置と閉鎖位置との間で回転可能であり、前記閉鎖位置で、前記カートリッジ加圧部材は、前記カートリッジの内容物を分配するためにカートリッジに係合するように構成されている、取り付け機構と、
前記第２の端部で前記容器に連結された格納室であって、前記格納室は、カートリッジを格納するための内部空間を含む、格納室と、を備える、飲料分配システム。
【請求項１２】
前記内部空間は、少なくとも第２のカートリッジと第３のカートリッジとを格納するように構成されている、請求項１１に記載のシステム。
【請求項１３】
前記格納室は、前記格納室上のスレッドと、前記容器の前記第２の端部上のマッチングスレッドとの相互作用によって前記第２の端部に連結されている、請求項１１に記載のシステム。
【請求項１４】
前記格納室は、半透明である、請求項１１に記載のシステム。
【請求項１５】
飲料分配システム用カートリッジであって、
内側チャンバを画成する本体と、
前記内側チャンバへの開口部と、
前記開口部上方に配設された箔シールであって、前記カートリッジの内容物を放出するように穿孔可能な箔シールと、を備え、前記箔シールは、金属上方に配設された封止ポリマーを含み、
前記本体は、多層構造のポリプロピレン、ポリエチレンテレフタレート、及びアルミニウムの少なくとも１つを含む、カートリッジ。
【請求項１６】
前記本体及び前記シールは、高温充填用途及び低温充填用途の両方にそれぞれ耐えることができる、請求項１５に記載のカートリッジ。
【請求項１７】
前記金属は、アルミニウム、金属被覆ポリエステル、又は金属被覆ポリプロピレンを含む、請求項１５に記載のカートリッジ。
【請求項１８】
前記金属被覆ポリプロピレンは、二軸延伸されている、請求項１７に記載のカートリッジ。
【請求項１９】
前記封止ポリマーは、ポリエチレンを含む、請求項１５に記載のカートリッジ。
【請求項２０】
前記カートリッジは、少なくとも２つの別個のチャンバを含む、請求項１５に記載のカートリッジ。
【請求項２１】
前記多層構造は、受動的バリア層を含む、請求項１５に記載のカートリッジ。
【請求項２２】
前記多層構造は、脱酸素剤層を含む、請求項１５に記載のカートリッジ。
【請求項２３】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
カートリッジを開口するために第１の位置と第２の位置との間で移動するように構成されたドーム部分と、を備える、飲料分配システム。
【請求項２４】
前記飲料分配システムは、前記収容部で前記取り付け機構に係合するように適合されたカートリッジを更に備え、前記カートリッジは、剛性本体によって画成された第１のチャンバと、開口部と、前記開口部上方に位置する穿孔可能なカバーとを含み、前記第２の位置で、前記ドーム部分は、前記カバーを前記切断部分に押し付け、それによって前記第１のチャンバを開口して内容物を前記容器に分配する、請求項２３に記載の飲料分配システム。
【請求項２５】
前記ドーム部分は、前記カートリッジ加圧部材上に設けられている、請求項２３に記載の飲料分配システム。
【請求項２６】
前記ドーム部分は、前記カートリッジ加圧部材が閉鎖位置にあるときに第１の位置と第２の位置との間で移動するように構成されている、請求項２３に記載の飲料分配システム。
【請求項２７】
前記ドーム部分は、シリコーンを含む、請求項２３に記載の飲料分配システム。
【請求項２８】
前記第１の位置で、前記ドーム部分は、前記剛性本体から離間されており、前記第２の位置で、前記ドーム部分は、前記剛性本体に直に接触する、請求項２４に記載の飲料分配システム。
【請求項２９】
前記ドーム部分は、前記ドーム部分への外部的に印加された圧力で前記第１の位置から前記第２の位置に移動する、請求項２３に記載の飲料分配システム。
【請求項３０】
前記ドーム部分は、可撓性である、請求項２３に記載の飲料分配システム。
【請求項３１】
前記カートリッジは、剛性本体によって画成された第２のチャンバと、開口部と、前記第２のチャンバの前記開口部上方に位置する穿孔可能なカバーとを含み、前記切断部分は、第２の切断部分を備え、前記第２の位置で、前記ドーム部分は、前記第２のチャンバの前記剛性本体に係合して前記第２のチャンバの前記開口部を前記第２の切断部分に押し付け、それによって前記第２のチャンバを開口して内容物を前記容器に分配する、請求項２３に記載の飲料分配システム。
【請求項３２】
前記カートリッジは、前記第１のチャンバと前記第２のチャンバとの間の可撓性フランジを含む、請求項３１に記載の飲料分配システム。